(57)【要約】【課題】  この発明の課題は、古いストロボ筐体の外観を脱却し、且つ筐体の破損、損傷などを防止し、スポットも実現でき利便性も高まる折り畳みストロボを提供するものである。【解決手段】  好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体とからなる構造にすることによって古いストロボの外観イメージを脱却でき、しかも筐体の破損、損傷が防止でき同時にスポットも実現できるケース付きストロボからなることを特徴とする折り畳みストロボ。【選択図】    図１
2006047711.tif 000002
【特許請求の範囲】
【請求項１】
好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体とからなることを特徴とする折り畳みストロボ。
【請求項２】
好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体と、前記ストロボ本体の適宜の個所に設けられ、カメラのフラッシュ光を感知し、信号を前記ストロボ本体のコントロール部に送るスレーブとからなることを特徴とする折り畳みストロボ。
【請求項３】
好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体と、該ケース本体の前記発光部に対応して適宜個所に設けたスポット穴とからなることを特徴とする折り畳みストロボ。
【請求項４】
好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体と、前記ストロボ本体の適宜の個所に設けられたカメラのフラッシュ光を感知し、信号を前記ストロボのコントロール部に送るスレーブと前記ケース本体の前記発光部に対応して設けられたスポット穴とからなることを特徴とする折り畳みストロボ。
【発明の詳細な説明】
【技術分野】
【０００１】
この発明はケースに対して扇形回動で収納できるストロボでこのストロボがケースに収納できる構造にすることで利便性を計った折り畳みストロボに関する。
【背景技術】
【０００２】
従来、所謂外付けのストロボもいろいろの形状が考察されユーザの購買意欲を高めようとしているが、比較的ストロボ自体の筐体が外部に直接露出していて傷などが付き易かったり、破損したり又古い筐体のイメージが強かったりしている。そこで、筐体を保護し、古いイメージを脱却し、スポットも実現でき利便性も高まる折り畳みストロボが望まれている。
【特許文献１】特開平１−１７８９４４号公報
【発明の開示】
【発明が解決しようとする課題】
【０００３】
従って、この発明の課題は、古いストロボ筐体の外観を脱却し、且つ筐体の破損、損傷などを防止し、スポットも実現でき利便性も高まる折り畳みストロボを提供するものである。
【課題を解決するための手段】
【０００４】
上記の課題を解決するために、好ましくは扁平の角柱形で内部に電源機能、コントロール機能、発光部を含む発光機能等及びその他を含みストロボとして必要な機能を内蔵したストロボ本体と、該ストロボ本体を収納し該ストロボ本体と扇形で回動可能に取り付けられ該ストロボ本体とは相似形のケース本体とからなることによって古いストロボの外観イメージを脱却でき、しかもストロボ本体の破損、損傷が防止でき同時にスポットも実現でき利便性も高まる折り畳みストロボが提供できる。
【発明の効果】
【０００５】
請求項１ではストロボ本体を収納するケース本体によってストロボ本体が破損、損傷することがなくなり扇形回動で操作もスムーズで外観も今日的に変われる効果がある。
請求項２ではストロボ本体の適宜個所にスレーブを設けてあるから通常の外付け形のストロボとして利用でき、しかもケース本体の扇形回動は邪魔になるものではない。
請求項３、４ではスレーブとスポット穴を設けているから、両方の機能効果をあげることができる。
【発明を実施するための最良の形態】
【０００６】
（実施形態１）
以下、この発明の実施例を添付図面、図１、図２に基づいて説明する。
図１の１はプラスチック製のケース本体で、この本体１は縦断面がU字形で長細い短冊状である。このケース本体１はこのケース本体１と相似形のストロボ本体２を収納する構造になっている。そして、ケース本体１とストロボ本体２との収納状態はストロボ本体２がややきつくケース本体１内に収納されるように寸法調整してある。
【０００７】
従って、ストロボ本体２の出し入れには少し力が必要である。又前記ケース本体１とストロボ本体２とは軸６で回動可能に取り付けられている。そして、前記ケース本体１とストロボ本体２との回動は扇形の回動運動でストロボ本体２がケース本体１からひきだすことができるようになっている。矢視A、Bはこの回動を表している。
【０００８】
前記ストロボ本体２の内部には電源部、コントロール部、発光部３がそれぞれストロボの機能が実施できるように内蔵されている。発光部３はストロボ光を発光するもので、ストロボ本体２の頂部には図２に示すようにスレーブ４が配置してある。従って、このスレーブ４はカメラの発光があるとこれに感応してストロボ本体２の発光部３を発光させることになる。
【０００９】
前記ケース本体１にはストロボ本体２の発光部３が対応する位置にスポットとして利用するスポット穴５が穿設されていて、前記ストロボ本体２の発光部３が対応する位置にあるときにスポット光を放つことができるようになっている。勿論必要に応じてスポット穴５の直径を任意に選択すればよい。
【００１０】
次に通常のストロボとして使用する場合は、前記ストロボ本体２を矢視方向Aの方向に少し力を入れて扇形回動で引き抜くと、発光部３が現われこれでストロボ機能を働かせることができる状態に設定される。この場合予めストロボ本体２の側部に設けられたスイッチ７をONにしておく。
【００１１】
かくして、スレーブ４がカメラのフラッシュ光を受光するとストロボ本体２もスレーブ４の受光で発光部３から発光しその機能を発揮することになる。前記ストロボ本体２をケース本体１へ収納してスポット穴５を利用する場合、矢視B方向にストロボ本体２を押し込むと丁度発光部３がスポット穴５の位置に一致する。
【００１２】
この状態でスイッチ７をONにしておけばカメラのフラッシュ光をスレーブ４は受光し発光部３はケース本体１内で発光し、スポット穴５からスポット光が得られる。スイッチ７はカメラのフラッシュをスレーブ４が受光するように待機状態を設定するものである。
【図面の簡単な説明】
【００１３】
【図１】この発明に係わるストロボ本体とケース本体を組み合わせ斜視図。（実施形態１）
【図２】図１のH矢視方向から見たスレーブ位置を示す図。
【符号の説明】
【００１４】
１  ケース本体
２  ストロボ本体
３  発光部
４  スレーブ
５  スポット穴
６  軸
７  スイッチ
【図１】
2006047711.tif 000003
【図２】
2006047711.tif 000004